(57)【要約】【課題】ラベルシートの同梱時にラベル以外のラベル紙を剥がす手間を省いてラベルシートの同梱作業に掛かる時間を短縮すること。【解決手段】ラベルシート１は、台紙と、台紙に剥離可能に貼り合わされたラベル紙１０とを備える。ラベル紙１０は、切断線１２によって輪郭形成され、互いに間隔を置いて配列された複数のラベル１１を有し、台紙と共にラベル１１の配列の間に沿って折り曲げられる折り目部２を有する。ラベル紙１０は、折り目部２を跨ぐように橋渡し部１３が形成され、橋渡し部１３を折り曲げて折り畳むことが可能である。【選択図】図１
2015087406.tif 000002
【特許請求の範囲】
【請求項１】
台紙と、該台紙に剥離可能に貼り合わされたラベル紙とを備えたラベルシートであって、
前記ラベル紙は、切断線によって輪郭形成され、互いに間隔を置いて配列された複数のラベルを有し、前記台紙と共に上記ラベルの配列の間に沿って折り曲げられる折り目部を有し、
前記ラベル紙は、前記折り目部を跨ぐように橋渡し部が形成され、前記橋渡し部を折り曲げて折り畳むことが可能なラベルシート。
【請求項２】
請求項１に記載のラベルシートにおいて、
前記橋渡し部には、前記折り目部に沿ってミシン目が形成されている、ラベルシート。
【請求項３】
請求項１又は請求項２に記載のラベルシートにおいて、
前記折り目部の直ぐ横に配列されている前記複数のラベルの前記折り目部側の切断線が、前記折り目部に沿う方向に亘って延びる一本の切断線によって形成されている、ラベルシート。
【請求項４】
請求項1乃至３のいずれかに記載のラベルシートにおいて、
上記ラベル紙は、上記ラベル及び上記折り目部以外の部分にＱＲコードが印字されている、ラベルシート。
【発明の詳細な説明】
【技術分野】
【０００１】
本発明は、ラベルシートに関する。
【背景技術】
【０００２】
一般に、ラベルシートは、例えば特許文献１に開示されるように、ラベル紙が台紙に剥離可能に貼り合わされている。そして、ラベル紙では、切断線で輪郭形成された複数のラベルが間隔を置いて配列されている。
【先行技術文献】
【特許文献】
【０００３】
【特許文献１】特開２０１３−１０６０７号公報
【発明の概要】
【発明が解決しようとする課題】
【０００４】
ラベルシートとして、ユーザーによってラベルを製品に貼ってもらうために、製品に同梱するものがある。その場合、ラベルシートのサイズが大きいと、ラベルシートが折り畳まれて（二つ折りや三つ折りされて）同梱される。そうすると、ラベルシートにおいて折り目付近のラベル以外の部分のラベル紙が剥離して（捲れ上げって）しまう。つまり、図２に示すように、ラベル紙１００において、折り目部１０３の直ぐ横に配列されているラベル１０１の切断線１０２（太い実線で示す切断線）から、ラベル１０１以外のラベル紙が剥がれてしまう。このため、同梱時にラベル以外のラベル紙を剥がす作業を行っており、そのため、ラベルシートの同梱作業に多大な時間を費やすという問題があった。
【０００５】
本発明は、かかる点に鑑みてなされたものであり、その目的は、ラベルシートの同梱時にラベル以外のラベル紙を剥がす手間を省いてラベルシートの同梱作業に掛かる時間を短縮することにある。
【課題を解決するための手段】
【０００６】
本発明は、台紙と、該台紙に剥離可能に貼り合わされたラベル紙とを備えたラベルシートを対象としている。そして、上記ラベル紙は、切断線によって輪郭形成され、互いに間隔を置いて配列された複数のラベルを有し、上記台紙と共に上記ラベルの配列の間に沿って折り曲げられる折り目部を有し、前記ラベル紙は、前記折り目部を跨ぐように橋渡し部が形成されており、前記橋渡し部を折り曲げて折り畳むことが可能である。
【発明の効果】
【０００７】
本発明によれば、折り目の直ぐ横に配列されている複数のラベルの折り目側の切断線を、ラベルの配列方向に亘って延びる一本の切断線によって形成しているため、ラベルシートが折り目で折り曲げられても、その折り目付近のラベル以外の部分のラベル紙が剥がれる（捲れ上がる）ことを防止することが可能である。
【図面の簡単な説明】
【０００８】
【図１】図１は、実施形態に係るラベルシートの構成を示す平面図である。
【図２】図２は、従来のラベルシートの構成を示す平面図である。
【発明を実施するための形態】
【０００９】
以下、本発明の実施形態を図面に基づいて詳細に説明する。尚、本発明は、以下の実施形態に限定されるものではない。
【００１０】
本実施形態のラベルシート１は、例えば画像形成装置等の製品情報等が記載されたものであり、対応する製品に同梱されるものである。
【００１１】
図１に示すように、本実施形態のラベルシート１は、略矩形状の台紙（図示省略）と、該台紙に剥離可能に貼り合わされたラベル紙１０とを備えている。なお、台紙は、ラベル紙１０と同じ形状に形成されてラベル紙１０の裏面側に位置している。
【００１２】
ラベル紙１０には、複数のラベル１１が配列形成されている。各ラベル１１は、切断線１２によって輪郭形成されており、互いに所定の間隔を置いて配列されている。本実施形態では、複数のラベル１１がラベル紙１０の縦方向（図１において左右方向）および横方向（図１において上下方向）に配列されている。ラベルシート１は、裏面側の台紙と共にラベル１１の配列方向（上述した横方向）に沿って折り曲げられる折り目部２を有している。折り目部２はラベルシート１の一辺に平行に直線状に形成されている。当然であるが、折り目部２はラベル１１以外の部分に設定される。なお、ラベルシート１はラベル紙１０が表側になるように折り曲げられる。
【００１３】
ラベル紙１０において、折り目部２には、該折り目部２の両横に位置するラベル１１同士を切断線１２を介して繋ぐ橋渡し部１３が２カ所に設けられている。橋渡し部１３には、ミシン目３が形成されている。図１において、橋渡し部１３のミシン目状の線に沿う方向の幅は約１０ｍｍ程度に形成されている。つまり、折り目部２付近において橋渡し部１３以外の部分は台紙とラベル紙１１が切欠かれており、橋渡し部１３は折り目部２を跨ぐように形成されている。そして、本実施形態のラベルシート１は、ラベル紙１０に形成された橋渡し部１３のミシン目３に沿って折り曲げられる。なお、橋渡し部１３の数は上述した数に限られない。
【００１４】
そして、本実施形態のラベル紙１０では、折り目部２の直ぐ横に配列されている複数のラベル１１の折り目側の切断線が、ラベル１１の配列方向（上述した横方向）に亘って延びる一本の切断線１２ａによって形成されている。つまり、本実施形態では、ラベル紙１０のラベル１１以外の部分が折り目部２付近（折り目の両横）で切断されている。
【００１５】
ラベルシート１を折り目部２に沿って折り曲げた際、表側のラベル紙１０のラベル１１以外の部分が折り目に向かって引っ張られる。しかし、橋渡し部１３は幅狭の形状であるため、折り目に向かって引っ張られるのは僅かの領域である。そのため、ラベルシート１を折り曲げた際に、ラベル紙１０は橋渡し部１３の部分だけが折り目に向かって引っ張られるため、台紙から剥がれにくくなる。さらに、本実施形態では、上述したようにラベル紙１０のラベル１１以外の部分が折り目部２付近で切断されているため、折り曲げ時に生ずる引っ張り力は折り目付近のラベル１１以外の部分には及ばない。したがって、ラベルシート１が折り曲げられても、その折り目付近のラベル１１以外の部分のラベル紙１０が剥がれる（捲れ上がる）ことを防止することが可能である。また、ラベルシート１を折り曲げる際に、橋渡し部１３を折り曲げるだけでよいため、簡単に折り曲げることができる。これによって、ラベルシート１の同梱時にラベル１１以外のラベル紙１０を剥がす手間を省くことができ、そのため、ラベルシート１の同梱作業に掛かる時間を短縮すること可能になる。
【００１６】
また、本実施形態のラベル紙１０には、図１に示すように、ラベル１１以外の部分にＱＲコード１４が印字されている。このＱＲコード１４は、製品に関する情報等が記載されている。こうして、ＱＲコード１４をラベルシート１に付与することにより、例えば製品の同梱間違いを防止することができる。本実施形態では、上述したようにラベルシート１の同梱時にラベル１１以外の部分のラベル紙１０を剥がす必要がなくなるため、重要なＱＲコード１４まで誤って剥がしてしまうという事態を回避することができる。
【産業上の利用可能性】
【００１７】
以上説明したように、本発明は、製品に同梱するラベルシートについて有用である。
【符号の説明】
【００１８】
１        ラベルシート
２        折り目部
３        ミシン目
１０      ラベル紙
１１      ラベル
１２      切断線
１２ａ    切断線
１４      ＱＲコード
【図１】
2015087406.tif 000003
【図２】
2015087406.tif 000004